(57)【要約】【課題】シーンに応じて、画像データの選択を容易にする撮像装置、その制御方法、及びプログラムを提供すること。【解決手段】画像データに対応するシーン毎に画像データを表示画面に表示し、表示された前記画像データの選択を受け付ける。前記表示画面に表示された前記画像データの少なくともいずれか１つの選択を受け付けた場合に、前記表示画面に表示済の画像データに対応するシーンとは別のシーンに対応する画像データを、前記表示画面に表示する。【選択図】図６
2014168207.tif 000002
【特許請求の範囲】
【請求項１】
表示画面を表示する表示部を備える撮像装置であって、
撮像処理により取得した画像データを記憶する記憶手段と、
前記画像データに対応するシーン毎に前記画像データを前記表示画面に表示する表示手段と、
前記表示手段により表示された前記画像データの選択を受け付ける選択受付手段と、
を備え、
前記表示手段は、前記選択受付手段により、前記表示画面に表示された前記画像データの少なくともいずれか１つの選択を受け付けた場合に、前記表示画面に表示済の画像データに対応するシーンとは別のシーンに対応する画像データを、前記表示画面に表示することを特徴とする撮像装置。
【請求項２】
シーンに対応する表示設定情報を記憶する記憶手段と、
前記シーンの種別によって前記画像データの表示方法を決定する決定手段と、
を備え、
前記表示手段は、前記決定手段で決定した内容に応じて、前記シーンに応じた表示方法で前記シーンに対応する画像データを表示画面に表示することを特徴とする請求項１に記載の撮像装置。
【請求項３】
前記表示方法は、前記画像データのサムネイル画像データを一覧表示する第１の表示方法と、前記画像データのサムネイル画像データと前記画像データを拡大した拡大画像データとを合わせて表示する第２の表示方法を含み、
前記表示手段は、前記第１の表示方法、又は第２の表示方法を用いて前記画像データを表示画面に表示し、
前記選択受付手段は、前記表示手段において、前記画像データが第１の表示方法を用いて表示されている場合、前記サムネイル画像データに対する指示を受け付けることで前記画像データの選択を受け付け、前記画像データが第２の表示方法を用いて表示されている場合、前記拡大画像データに対する指示を受け付けることで前記画像データの選択を受け付けることを特徴とする請求項２に記載の撮像装置。
【請求項４】
前記選択受付手段で選択を受け付けた画像データを、選択済の画像データとして表示する選択済画像表示領域表示手段を備え、
前記選択受付手段は、前記表示画面に表示された画像データに対するタップ指示を受け付けた場合、又は、前記画像データをドラッグして前記選択済画像表示領域にドロップする操作を受け付けた場合に、前記画像データの選択を受け付けることを特徴とする請求項１乃至３のいずれか１項に記載の撮像装置。
【請求項５】
前記選択受付手段で選択を受け付けた画像データを格納するためのフォルダを生成する印刷画像フォルダ生成手段と、
前記選択受付手段で選択を受け付けた画像データを、印刷対象の画像データとして、印刷画像フォルダ生成手段で生成したフォルダに記憶する印刷画像記憶手段と、
を備えることを特徴とする請求項１乃至４のいずれか１項に記載の撮像装置。
【請求項６】
表示画面を表示する表示部を備える撮像装置であって、
撮像処理により取得した画像データを記憶する記憶手段と、
前記画像データの表示指示を受け付けることで、前記画像データを表示画面に表示する表示手段と、
を備え、
前記表示手段は、前記画像データに対応するシーンに応じて、前記画像データのサムネイル画像データを一覧表示する第１の表示方法、又は、前記画像データを拡大した拡大画像データを含む表示をする第２の表示方法を用いて、前記画像データを表示画面に表示する撮像装置。
【請求項７】
表示画面を表示する表示部を備える撮像装置の制御方法であって、
記憶手段が、撮像処理により取得した画像データを記憶する記憶工程と、
表示手段が、前記画像データに対応するシーン毎に前記画像データを前記表示画面に表示する表示工程と、
選択受付手段が、前記表示工程により表示された前記画像データの選択を受け付ける選択受付工程と、
を含み、
前記表示工程は、前記選択受付工程により、前記表示画面に表示された前記画像データの少なくともいずれか１つの選択を受け付けた場合に、前記表示画面に表示済の画像データに対応するシーンとは別のシーンに対応する画像データを、前記表示画面に表示することを特徴とする撮像装置の制御方法。
【請求項８】
表示画面を表示する表示部を備える撮像装置で実行が可能なプログラムであって、
前記撮像装置を、
撮像処理により取得した画像データを記憶する記憶手段と、
前記画像データに対応するシーン毎に前記画像データを前記表示画面に表示する表示手段と、
前記表示手段により表示された前記画像データの選択を受け付ける選択受付手段として機能させ、
前記表示手段は、前記選択受付手段により、前記表示画面に表示された前記画像データの少なくともいずれか１つの選択を受け付けた場合に、前記表示画面に表示済の画像データに対応するシーンとは別のシーンに対応する画像データを、前記表示画面に表示することを特徴とする撮像装置のプログラム。
【発明の詳細な説明】
【技術分野】
【０００１】
本発明は、撮像装置、その制御方法及びプログラムに関する。
【背景技術】
【０００２】
近年デジタルカメラが広く普及し、撮影した画像データをプリントしたり、ウェブ上で提供される画像管理サービスにアップロードしたりする機会が増加している。また、撮影した画像データを記憶するためのメモリカードの容量が増加している。
【０００３】
メモリカードの容量増加に伴い、記憶できる画像データの数も増加し、ユーザにとって、画像をプリント、アップロードする際等、適当な画像データを特定することが煩雑になってしまっている。
【０００４】
これに対し、画像データを類似度に基づいてシーン毎に分類し、ユーザの所望する画像データの検索を容易にする技術が交際されている。（例えば、特許文献１）
【先行技術文献】
【特許文献】
【０００５】
【特許文献１】特開２００３−３３０９４１号公報
【発明の概要】
【発明が解決しようとする課題】
【０００６】
しかしながら、特許文献１に記載の技術においては、画像データが表示画面にまとめて表示されるため、表示するシーンや画像データが多いほど、どの画像データを選択したかの管理が煩雑になり、結果、画像データの選択処理そのものが煩雑になってしまうという問題がある。
【０００７】
また、画像データによっては拡大して詳細を確認しなければ、当該画像データを選択するか否か判断することが難しいものがある。当該確認処理を行う場合、ユーザは画像データを拡大して確認した後、再度元の画面に表示画面を戻して、画像の選択を行わなければならないことが考えられる。
【０００８】
本発明は、シーンに応じて、画像データの選択を容易にする撮像装置、その制御方法、及びプログラムを提供することを目的とする。
【課題を解決するための手段】
【０００９】
本発明の撮像装置は、表示画面を表示する表示部を備える撮像装置であって、撮像処理により取得した画像データを記憶する記憶手段と、前記画像データに対応するシーン毎に前記画像データを前記表示画面に表示する表示手段と、前記表示手段により表示された前記画像データの選択を受け付ける選択受付手段と、を備え、前記表示手段は、前記選択受付手段により、前記表示画面に表示された前記画像データの少なくともいずれか１つの選択を受け付けた場合に、前記表示画面に表示済の画像データに対応するシーンとは別のシーンに対応する画像データを、前記表示画面に表示することを特徴とする。
【発明の効果】
【００１０】
本発明によれば、本発明は、シーンに応じて、画像データの選択を容易にする撮像装置、その制御方法、及びプログラムを提供することが出来る。
【図面の簡単な説明】
【００１１】
【図１】本発明の実施形態における、撮像装置１００のハードウェア構成および撮影機能の一例を示す図。
【図２】本発明の実施形態における、撮像装置１００の機能構成の一例を示す図。
【図３】本発明の実施形態における、処理の概要を示すフローチャートである。
【図４】本発明の実施形態における、撮影処理の概要を示すフローチャートである。
【図５】本発明の実施形態における、シーン判定撮影処理の詳細を示すフローチャートである。
【図６】本発明の実施形態における、シーン毎の画像表示及び選択処理の詳細を示すフローチャートである。
【図７】本発明の実施形態における、シーン一覧表示画面の構成の一例を示す図である。
【図８】本発明の実施形態における、画像一覧表示画面の構成の一例を示す図である。
【図９】本発明の実施形態における、登録確認画面の構成の一例を示す図である。
【図１０】本発明の実施形態における、プリント画像登録画面の構成の一例を示す図である。
【図１１】本発明の実施形態における、プリント画像登録画面の構成の一例を示す図である。
【図１２】本発明の実施形態における、プリント画像登録画面の構成の一例を示す図である。
【図１３】本発明の実施形態における、プリント画像登録画面の構成の一例を示す図である。
【図１４】本発明の実施形態における、画像データテーブルの構成の一例を示す図である。
【図１５】本発明の実施形態における、拡大表示フラグテーブルの構成の一例を示す図である。
【発明を実施するための形態】
【００１２】
以下、図面を参照して、本発明の実施形態を詳細に説明する。まず、図１を参照して、本発明の実施形態における撮像装置１００のハードウェア構成および撮影機能について説明する。図１は、本発明の実施形態における撮像装置１００のハードウェア構成および撮影機能の一例を示す図である。
【００１３】
図１は、本発明に係る撮影装置の概略構成を示すハードウェアブロック図である。図１で、撮影装置は、いわゆるデジタルカメラから成り、撮影用のレンズ１０１、撮像素子（以下、「ＣＣＤ」と称する）１０２、カメラ信号処理部（以下、「ＡＤＣ」と称する）１０３、画像処理部１０４、システムコントローラ１１０、バッファメモリ１１１、フラッシュＲＯＭ１１２、インターフェース回路（以下、「Ｉ／Ｆ回路」と称する）１１３、カードホルダ１１４、メモリカード１１５、ディスプレイドライバ１１６、および操作部１２０を備える。
【００１４】
レンズ１０１は、レンズ等であり、対物レンズ、ズームレンズ、およびフォーカスレンズなどで構成される。ズームレンズおよびフォーカスレンズについては、不図示の駆動機構により光軸方向へ駆動される。撮像素子１０２は、レンズ１０１から入射した撮像光を結像し、電気信号（アナログ信号）に変換して出力するＣＣＤイメージセンサで構成される。
【００１５】
カメラ信号処理部（ＡＤＣ）１０３は、撮像素子１０２から受けた電気信号にデジタル変換やホワイトバランス調整などの信号処理を行なって、デジタル信号に変換する機能を有する。システムコントローラ１１０は、画像処理部１０４、バッファメモリ１１１、フラッシュＲＯＭ１１２、Ｉ／Ｆ回路１１３、ディスプレイドライバ１１６、サウンドドライバ１１８、ＬＥＤドライバ１２８、および操作部１２０に接続されている
【００１６】
画像処理部１０４は、前処理部１０５、ＹＣ処理部１０６、電子ズーム処理部１０７、圧縮部１０８、および伸長部１０９を備え、カメラ信号処理部１０３から出力されるデジタル信号から画像データを生成し、各種画像処理を行う機能を有する。
【００１７】
前処理部１０５は、入力される画像データに基づく画像のホワイトバランスを調整するホワイトバランス処理や画像（画像データ）のガンマ補正処理を行う機能を有する。ホワイトバランス処理は、画像の色合いを、実物の色合いに近くなるように調整したり、光源（蛍光灯や太陽光など）に合った適正な色に調整したりする処理である。ガンマ補正処理は、画像のコントラストを調整する処理である。なお、前処理部１０５は、ホワイトバランス処理およびガンマ補正処理以外の画像処理を実行することも可能である。
【００１８】
ＹＣ処理部１０６は、入力される画像データに基づく画像を、輝度情報「Ｙ」と、輝度信号と青色の色差情報「Ｃｂ」と、輝度信号と赤色の色差情報「Ｃｒ」とに分離する機能を有する。電子ズーム処理部１０７は、画像の一部（例えば中央部）を所定の大きさでトリミングし、トリミングした画像を信号処理で元画像の大きさに拡大する機能を有する。電子ズーム処理部１０７は、例えば、撮影された１６００×１２００ドットの画像から中央の１０２４×７６８ドットの画像を切り出し、データ補間を行いながら１６００×１２００ドットのサイズに拡大することができる。
【００１９】
圧縮部１０８は、画像データをＪＰＥＧ（Ｊｏｉｎｔ  Ｐｈｏｔｏｇｒａｐｈｉｃ  Ｅｘｐｅｒｔ  Ｇｒｏｕｐ）方式などの圧縮形式によって圧縮する機能を有する。伸長部１０９は、圧縮されている画像データを伸長する機能を有する。例えば、画像データをＪＰＥＧ方式で圧縮する場合、まず、画像データの高周波成分と低周波成分の割合を数値化する離散コサイン変換処理が行われる（ＤＣＴ処理）。次に、画像の階調やグラデーションを表現する段階を数値（量子化ビット数）で表現する量子化処理が行われる。最後に、ハフマン符号化処理で画像データが圧縮される。
【００２０】
具体的には、画像データの信号文字列が一定のビット毎に区切られ、出現頻度が高い文字列に対してより短い符号が与えてられてゆく。なお、圧縮処理を行わないで画像データを記録する方式の場合は、圧縮部１０８および伸長部１０９を省略することができる。また、画像データの圧縮形式は、ＪＰＥＧ方式に限らず、ＧＩＦ（Ｇｒａｐｈｉｃａｌ  Ｉｎｔｅｒｃｈａｎｇｅ  Ｆｏｒｍａｔ）形式などであっても、同様に処理を行うことができる。
【００２１】
バッファメモリ１１１には、画像処理部１０４で画像処理が行われる際に、一時的に画像データが保存される。フラッシュＲＯＭ１１２には、撮影装置の各種設定情報や、後述するユーザ認証情報が保存される。Ｉ／Ｆ回路１１３は、システムコントローラ１１０から出力される画像データを、メモリカード１１５に記録可能なデータ形式に変換する。また、Ｉ／Ｆ回路１１３は、メモリカード１１５から読み出された画像データ等を、システムコントローラ１１０で処理可能なデータ形式に変換する。
【００２２】
カードホルダ１１４は、記録媒体であるメモリカード１１５を撮影装置に着脱可能にする機構を備えると共に、メモリカード１１５との間でデータ通信が可能な電気接点を備える。また、カードホルダ１１４は、撮影装置で利用される記録媒体の種類に応じた構造を有する。メモリカード１１５は、フラッシュメモリなどの半導体記憶素子を内蔵し、カードホルダ１１４に着脱可能なカード型の記録媒体である。メモリカード１１５には、撮影装置で撮影された画像データを記録することができる。
【００２３】
ディスプレイドライバ１１６は、システムコントローラ１１０から出力される画像データを液晶ディスプレイ１１７（表示部）で表示可能な信号に変換する。具体的には、ディスプレイドライバ１１６は、システムコントローラ１１０から出力されるデジタルの画像データをアナログ画像信号に変換する処理を行い、次に画像サイズを液晶ディスプレイ１１７の表示可能エリアのサイズに適したサイズに変換する処理を行う。
【００２４】
サウンドドライバ１１８は、システムコントローラ１１０から出力される音声データをスピーカ１１９で鳴動可能な信号に変換する処理を行う。ＬＥＤ（Ｌｉｇｈｔ  Ｅｍｉｔｔｉｎｇ  Ｄｉｏｄｅ）ＬＥＤドライバ１２８は、システムコントローラ１１０から出力される命令に従いランプ１２９の制御を行う。
【００２５】
操作部１２０は、電源スイッチ１２１、モードダイヤル１２２、撮影ボタン１２３、カーソルキー１２４、ズームボタン１２５、および閲覧（再生）ボタン１２６を備え、ユーザからの操作入力を受け付けて、操作内容に応じた信号をシステムコントローラ１１０に出力する。なお、操作部１２０には、図示の操作ボタン以外の操作ボタン類も含まれるが、それらの説明は省略する。
【００２６】
モードダイヤル（選択ボタン）１２２は、撮影動作のモードを切り替えるための回転可能なダイヤルである。ユーザはモードダイヤル１２２を操作することで、複数の撮影動作モードを選択することが可能である。なお、本発明の実施形態で、モードダイヤルは、ダイヤル式機構として記載をするが、例えば、ダイヤルではなくスライド式のボタンであってもよい。つまり、モードダイヤル１２２について、その機構はダイヤルに限定されず、カメラのモードを切り替えられるための機構を備えていることが本質である。
【００２７】
閲覧ボタン１２６は、撮影した画像データを閲覧する閲覧モード（再生モード）に切り替えるためのボタンである。閲覧ボタン１２６が押下されると、撮影モードから閲覧モードに移行する。なお、閲覧モードへの切替方法については、閲覧ボタン１２６の押下に限定されず、液晶ディスプレイ１１７上のタッチパネル（不図示）などによる移行方法であってもよい。
【００２８】
閲覧モードでは、システムコントローラ１１０が、Ｉ／Ｆ回路１１３を介して、カードホルダ１１４に装着されているメモリカード１１５から設定情報と画像データを読み出す。設定情報は、現在装着されているメモリカード１１５に記録されている画像の枚数および記録されている画像データの容量などである。読み出される画像データは、例えば、画像１枚分の画像データまたはサムネイル画像データである。なお、メモリカード１１５から読み出される画像データは、上述したように所定の圧縮形式で圧縮されている。
【００２９】
メモリカード１１５から読み出された画像データは、Ｉ／Ｆ回路１１３およびシステムコントローラ１１０を介して、ディスプレイドライバ１１６へ入力される。ディスプレイドライバ１１６は、入力された画像データを液晶ディスプレイ１１７に表示させる。
【００３０】
カーソルキー１２４は、ユーザが撮影装置に対する所定の指示や機能選択を行うためのキーである。ユーザは、カーソルキー１２４により、撮影装置に対する各種設定情報やユーザ認証情報などの操作入力を行うことができる。また、カーソルキー１２４により、液晶ディスプレイ１１７にメニュー画面を表示させたり、撮影装置が有する所定の機能を選択することができる。さらに、カーソルキー１２４により、撮影装置で撮影された画像データを液晶ディスプレイ１１７上にプレビュー表示させることができる。プレビュー表示とは、撮像装置１００で撮影した画像を、その直後に液晶ディスプレイ１１７に表示させる機能である。
【００３１】
なお、プレビュー表示については、液晶ディスプレイ１１７上に撮影した画像を１枚のみ表示する構成に限定されず、サムネイル画像を含む複数の画像を表示するように構成してもよい。また、プレビュー表示の切り替えについては、カーソルキー１２４の押下に限らず、他のボタンの押下などの一般的な方法を利用して切り替えられる構成にしてもよい。また、プレビュー表示画面で、プレビュー表示画像の削除や編集などが行えるように構成してもよい。
【００３２】
レンズ制御部１２７は、レンズ１０１のレンズに対して、ズーム、フォーカス、絞り等の制御を行う。また、撮影装置は、被写体を撮像して画像データを得る撮影モードと当該撮影モードで得た画像データを表示する閲覧（再生）モードとを備える。
【００３３】
なお、音声についてはマイクやスピーカを用いることで、撮像装置と同様に記録、及び再生が可能である。また、映像（動画）記録時には、通常音声記録も同時に行われ、圧縮部１０８および伸長部１０９で、映像と音声が多重化される。
【００３４】
また、撮像装置１００における撮影動作について図１を用いて説明する。まず、ユーザが電源スイッチ１２１を操作し、撮像装置１００の電源をＯＮにする。すると、撮像装置１００に内蔵されているバッテリー（不図示）から各回路へ電源供給されて、撮像装置１００の起動処理（レンズバリアを開く動作制御およびマイクロコンピューターのリセット処理など）が行われる。撮像装置１００は、電源ＯＦＦ時に電源スイッチ１２１が押下されると電源ＯＮとなり、自動的に撮影モードとなるように構成されている。また、電源ＯＦＦ時に閲覧ボタンが押下されると電源ＯＮとなり、自動的に閲覧モードとなるように構成されている。
【００３５】
撮像装置１００が撮影モードに移行すると、光学画像がレンズ１０１を介して撮影装置内へ入射し、撮像素子（ＣＣＤ）１０２に結像される。ＣＣＤ１０２は、入射される光学画像を電気信号に変換して、カメラ信号処理部（ＡＤＣ）１０３へ出力する。ＡＤＣ１０３は、入力される電気信号（アナログ信号）をデジタル信号に変換する。ＡＤＣ１０３から出力されるデジタル信号は画像処理部１０４に入力される。
【００３６】
画像処理部１０４内の前処理部１０５では、入力されるデジタル信号に基づき画像データを生成し、ホワイトバランス処理およびガンマ補正処理などが行われる。画像処理部１０４内のＹＣ処理部１０６では、画像データが輝度信号Ｙと色差信号ＣｒおよびＣｂとに分離され、色差信号ＣｒおよびＣｂの情報量を減らす処理が行われる。色差信号ＣｒおよびＣｂの情報量の削減処理は、例えば、画像の主走査方向の色情報を間引く「４：２：２ダウンサンプリング処理」や、画像の縦横方向の色情報を間引く「４：１：１ダウンサンプリング処理」などがある。なお、前処理部１０５およびＹＣ処理部１０６で画像処理を行う際は、画像データを一時的にバッファメモリ１１１に保存し、随時バッファメモリ１１１に保存されている画像データを読み出しながら画像処理が行われる。
【００３７】
画像処理部１０４から出力される画像データ（非圧縮）はシステムコントローラ１１０に入力される。システムコントローラ１１０は、画像処理部１０４から出力される画像データを、ディスプレイドライバ１１６へ出力する。ディスプレイドライバ１１６は、入力される画像データ（デジタル信号）をアナログ画像信号に変換すると共に、アナログ画像信号に基づく画像のサイズを液晶ディスプレイ１１７で表示可能なサイズに調整する。
【００３８】
また、ディスプレイドライバ１１６は、液晶ディスプレイ１１７に画像を表示させるよう制御する。このとき、液晶ディスプレイ１１７に表示される画像は、ＣＣＤ１０２、ＡＤＣ１０３、および画像処理部１０４で、連続的に信号処理されて生成される画像（スルー画像）である。
【００３９】
液晶ディスプレイ１１７にスルー画像が表示されている状態で、ユーザが希望のタイミングで撮影ボタン１２３を操作すると、システムコントローラ１１０は画像処理部１０４に制御信号を出力する。画像処理部１０４に制御信号が入力されると、圧縮部１０８は、前処理部１０５およびＹＣ処理部１０６で画像処理された画像データをバッファメモリ１１１へ保存し、圧縮処理を行う。
【００４０】
具体的には、画像データの高周波成分と低周波成分の割合を数値化する離散コサイン変換処理（ＤＣＴ処理）や、画像の階調やグラデーションを表現する段階を量子化ビット数で表現する量子化処理や、画像データの信号文字列を一定のビット毎に区切り、出現頻度が高い文字列に対して、より短い符号を与えてゆくハフマン符号化処理などが実行される。圧縮された画像データは、システムコントローラ１１０およびディスプレイドライバ１１６を介して液晶ディスプレイ１１７に表示される。また、圧縮された画像データは、カードホルダ１１４を介してメモリカード１１５に記録される。
【００４１】
撮影ボタン１２３が操作される前にズームボタン１２５が操作されると、システムコントローラ１１０は光学ズーム処理や電子ズーム処理を実行し、画像の大きさを拡大または縮小させることができる。そして、ズームボタン１２５の操作後、撮影ボタン１２３が操作されると、拡大または縮小された画像の画像データがメモリカード１１５へ記録される。
【００４２】
水準器１３０は、撮像装置１００の傾きを検知し、計測する。方位センサ１３１は、撮像装置１００の向いている方角（方位）を計測する。以上が図１に示す、本発明の実施形態における撮像装置１００のハードウェア構成および撮影機能についての説明である。
【００４３】
次に図２を参照して、本発明の実施形態における撮像装置１００の機能構成について説明する。図２は、本発明の実施形態における撮像装置１００の機能構成の一例を示す図である。図２に示す通り、本発明の実施形態における撮像装置１００は、シーン判別部２０１、撮影実行部２０２、画像記憶部２０３、印刷画像選択受付部２０４、印刷グループ記憶部２０５、シーン別表示切替部２０６等から構成される。
【００４４】
シーン判別部２０１は、撮影処理（撮像処理）をするにあたり、撮影シーンを判別する判別部である。撮影シーンとは、例えば、撮像装置の機能として搭載されているシーン判別機能（撮影モードを自動で切り替える機能等）により画像の撮影時に判別される、撮影中の画像の状態であり、また、当該画像の状態に応じて、撮影に際して適用する、前記撮影装置中に記憶された撮影シーンのデータのことを指す。
例えば、人物（ポートレート）撮影シーン、風景撮影シーン、物撮影シーン、動物撮影シーン、マクロ撮影シーン、高速撮影シーン等が挙げられる。
【００４５】
また、当該撮影シーンは、撮影後の画像の情報を用いて判別するようにしてもよい。例えば、画像の撮影位置、撮影時間、画像内に含まれる人物の顔の情報を用いて、所定の距離範囲内で、所定の時間範囲の間に撮影された画像であって、所定数以上同じ人物が含まれる画像を同一シーンで撮影された画像として判別するようにしてもよい。
【００４６】
撮影実行部２０２は、判別された撮影シーンに応じて、例えば撮影モードを切り替えて撮影処理を実行する実行部である。画像記憶部２０３は、画像を記憶する制御をする機能部である。例えば、画像を撮像装置のメモリに記憶する、又は、撮像装置に接続されたメモリカードに記憶する制御を行う。
【００４７】
印刷画像選択受付部２０４は、表示画面に表示した画像の中から印刷するの画像（印刷画像／印刷対象の画像）の選択を受け付ける選択受付部である。印刷グループ記憶部２０５は、印刷画像選択受付部２０４で選択を受け付けた画像をグループにまとめて記憶する制御部である。
【００４８】
シーン別表示切替部２０６は、表示画面に表示する画像に対応するシーンの情報に応じて、画像の表示方法切り替える切替部である。以上が図２に示す、本発明の実施形態における撮像装置１００の機能構成についての説明である。
【００４９】
次に図３を参照して、本発明の実施形態における、処理の概要について説明する。図３は、本発明の実施形態における、処理の概要を示すフローチャートである。
【００５０】
撮像装置１００はユーザの指示に従って撮影処理を行い（ステップＳ３０１）、当該撮影された画像を表示画面に表示して、当該画像の選択処理を受け付ける（ステップＳ３０２）。撮影処理（ステップＳ３０１）の詳細については、図４及び図５の説明で後述する。画像選択処理（ステップＳ３０２）の詳細については、図６の説明で後述する。以上が図３の、本発明の実施形態における、処理の概要についての説明である。
次に図４を参照して、本発明の実施形態における、撮影処理の概要について説明する。図４は、撮影処理の概要を示すフローチャートである。
【００５１】
撮像装置１００はユーザからの指示を受け付け（ステップＳ４０１）、受け付けた指示が撮影指示か否かを判定する（ステップＳ４０２）。つまり、例えばレリーズの押下指示を受け付けたか否かを判定する。
【００５２】
受け付けた指示が撮影指示でないと判定した場合（ステップＳ４０２でＮＯ）、処理をステップＳ４０７に移行する。受け付けた指示が撮影指示であると判定した場合（ステップＳ４０２でＹＥＳ）、撮影モードがシーン判定撮影モードに設定されているか否かを判定する（ステップＳ４０３）。
【００５３】
ここでいうシーン判定撮影モードとは、撮影時の状況（撮影場所、時間、被写体の状態等）に応じて、撮影後に、撮影した画像をシーン分けするためのシーンＩＤを付与し、画像をシーン分け（グループ分け）する撮影モードである。
【００５４】
当該シーン判定、及び、グループ分けの処理については図５の説明にて後述する。尚、シーン判定撮影モードの実施形態は上述したものに限らない。例えば、撮影装置の機能として一般に搭載されている、例えばシーン毎（人物（ポートレート）撮影シーン、風景撮影シーン、物撮影シーン、動物撮影シーン、マクロ撮影シーン、高速撮影シーン等）に撮影モード、つまり、撮影に用いるパラメータ（露出度、絞り、シャッター速度等）を変更して撮影をするような、オート撮影モードを、当該実施形態におけるシーン判定撮影モードとしてもよい。
【００５５】
撮像装置１００は、撮影モードがシーン判定撮影モードに設定されていないと判定した場合（ステップＳ４０３でＮＯ）、画像を撮影してメモリカードに記憶する（ステップＳ４０６）。
【００５６】
撮影モードがシーン判定撮影モードに設定されていると判定した場合（ステップＳ４０３でＹＥＳ）、処理をステップＳ４０４に移行して、シーン判定撮影を行う（ステップＳ４０４）。シーン判定撮影の詳細については図５を参照して後述する。
【００５７】
ここで図５を参照して、本発明の実施形態における、シーン判定撮影処理の詳細について説明する。図５は、本発明の実施形態における、シーン判定撮影処理の詳細を示すフローチャートである。
【００５８】
撮像装置１００は、撮像装置１００に搭載されたＧＰＳ機能を用いて撮像装置の現在位置の情報を取得し、また、撮像装置１００に搭載された時計機能を用いて現在時刻の情報を取得する。
【００５９】
次に、撮像装置１００は、撮像中の画像データから被写体の情報を取得する。ここでいう被写体の情報とは、例えば、撮像中の画像から取得される画像の特徴量である。（例えば、顔画像の特徴量を取得する）。
【００６０】
撮像装置１００は、画像をメモリカード等の記憶部に静止画像、又は動画像として記憶するための撮影処理を実行し（ステップＳ５０３）、当該撮影が当該撮像装置における最初の撮影かを判定する（ステップＳ５０４）。
【００６１】
当該撮影が当該撮像装置における最初の撮影であると判定した場合（ステップＳ５０４でＹＥＳ）、撮像装置１００は、被写体の情報を特定し（つまり、被写体が何・誰であるかを特定し／ステップＳ５１０）、当該撮影にて取得した画像のシーンを識別するためのシーンＩＤを発行して（ステップＳ５１１）、当該シーンＩＤと、ステップＳ５０３における撮影で取得した画像とを対応付けて、メモリカードに記憶する（ステップＳ５０９）。この際、ステップＳ５０１で取得した位置情報、撮影日時情報も画像と対応付けて記憶する。被写体の特定方法、及びシーンＩＤの詳細については図１４の説明にて後述する。
【００６２】
ここで図１４を参照して、本発明の実施形態における、画像データテーブルの構成の一例について説明する。図１４は、本発明の実施形態における、画像データテーブルの構成の一例を示す図である。
【００６３】
図１４に示す通り、画像データテーブル１４００は、名称１４０１、画像１４０２、緯度・経度１４０３、撮影日時１４０４、顔情報１４０５、撮影モード１４０６、シーンＩＤ１４０７等から構成されている。また、顔情報登録テーブル１４１０は、ユーザ名称１４１１、特徴量１４１２等から構成されている。
【００６４】
名称１４０１は、画像の名称である。ここでは当該名称１４０１は画像ごとに一意であるものとする。画像１４０２は、画像の実データである。緯度・経度１４０３は画像が撮影された位置情報である。
【００６５】
撮影日時１４０４は、画像の撮影日時である。顔情報１４０５は、被写体の情報（特徴量）と、顔情報登録テーブル１４１０に予め登録されている、ユーザの顔の特徴量の情報とを用いて特定された、いずれのユーザが当該画像の被写体に含まれているかを示す情報である。
【００６６】
ユーザの顔の特徴量は、不図示の顔情報登録画面において撮影指示を受け付けた場合に撮影した顔の特徴量であって、例えば、当該不図示の顔情報登録画面に表示された顔情報登録のためのボタンの押下を受け付けることで、顔情報登録テーブル１４１０に登録される。また、ユーザ名称１４１１についても、当該不図示の顔情報登録画面において入力されたユーザ名が記憶、登録されるものである。
【００６７】
当該被写体（ユーザ）の特定処理は、例えば、図５のステップＳ５０６、ステップＳ５１０で行われる。当該特定された被写体の情報（例えば顔情報１４０５）は、図５のステップＳ５０９にて、画像と対応付けてメモリカード等の記憶媒体に記憶される。
【００６８】
尚、顔情報１４０５には、図５のステップＳ５１０、後述するステップＳ５０６にて特定された被写体（顔画像の特徴量）が顔情報登録テーブル１４１０に登録済の場合、当該特定された被写体（顔画像の特徴量）に対応するユーザ名称１４１１を挿入するものとする。
【００６９】
また、被写体として顔画像は認識したが、当該顔の情報が顔情報登録テーブル１４１０に登録されていない場合、被写体がいずれのユーザか判断不明を示す値を顔情報１４０５に挿入する。顔画像を認識しなかった場合は例えばｎｕｌｌの値を挿入する。
【００７０】
ユーザ名称１４１１は、ユーザによって予め登録され、撮像装置１００の外部メモリ等の記憶媒体に記憶されている、特徴量１４１２の示す顔のユーザの名称である。特徴量１４１２は、ユーザによって予め登録されている顔情報（顔画像の特徴量）である。
【００７１】
撮影モード１４０６は、例えば撮像装置１００の、前述したオート撮影モードが起動しており、当該オート撮影モードでシーン判別され撮影が行われた場合の、シーンの情報である。
【００７２】
シーンＩＤ１４０７は、撮影モード１４０６の情報とは別に画像に付与される、画像をシーン分け（シーン毎にグループ分け）するためのＩＤ（識別情報）である。シーンＩＤ１４０７は、例えば、撮影時の状況（撮影場所、時間、被写体の状態等）に応じて、撮像装置１００により画像に付与される。
【００７３】
例えば、ある画像が撮影された後、当該画像にシーンＩＤを付与し、別の画像が撮影された場合、１枚目の画像と２枚目の画像とが撮影された位置の間の距離が所定の閾値以内であり、また、撮影時間が所定の閾値以内であり、また、所定数（閾値）以上、同一のユーザ（顔画像）が当該２枚の画像に含まれる場合に、１枚目に付与したＩＤと同一のＩＤを２枚目の画像に付与するものとする。
【００７４】
各閾値は、撮像装置１００の外部メモリ等の記憶媒体に予め記憶されているものとし、ユーザの操作指示に応じて、任意に変更可能であるものとする。例えば、２枚の画像の撮影位置の距離が所定の閾値以内であって、撮影時間が所定の閾値以内であれば同一シーンと判断してもよいし、または、撮影時間が所定の閾値以内であって、同一のユーザ（顔画像）が当該２枚の画像に含まれる場合に同一シーンと判断してもよい。
【００７５】
また、２枚の画像に含まれる顔画像が、顔情報登録テーブルに登録済のユーザの顔画像であって、当該顔画像の数が所定数以上一致する場合に同一シーンとみなすようにしてもよい。
【００７６】
尚、当該撮影画像が、直前の撮影画像と同一シーンの画像であるか否かの判断における、撮影時間、撮影位置（場所）、被写体（顔情報）の条件の組み合わせは上述の組み合わせに限るものではない。以上が図１４の、本発明の実施形態における、画像データテーブルの構成の一例についての説明である。
【００７７】
図５の説明に戻る。ステップＳ５０４にて、撮像装置１００が、ステップＳ５０３で行った撮影が最初の撮影でないと判定した場合（ステップＳ５０４でＮＯ）、当該撮影が、直前の撮影がされた場所と同じ場所で行われたかを判定する（ステップＳ５０５）。つまり、ステップＳ５０３で行われた撮影が２回目以降の撮影である場合、直前に行われた撮影が行われた位置から、ステップＳ５０３で撮影がされた位置までの距離が、閾値以内であるかを判定する。
【００７８】
当該撮影が、直前の撮影がされた場所と同じ場所でないと判定した場合（ステップＳ５０５でＮＯ）、処理をステップＳ５１０に移行する。当該撮影が、直前の撮影がされた場所と同じ場所である（所定の範囲内である）と判定した場合（ステップＳ５０５でＹＥＳ）、処理をステップＳ５１２に移行する。
【００７９】
撮像装置１００は、当該撮影が、直前の撮影がされた時間から所定の時間内（閾値の範囲内の時間）に行われたか判定する（ステップＳ５１２）。当該撮影が、直前の撮影がされた時間から所定の時間内に行われていないと判定した場合（ステップＳ５１２でＮＯ）、処理をステップＳ５１０に移行する。当該撮影が、直前の撮影がされた時間から所定の時間内に行われたと判定した場合（ステップＳ５１２でＹＥＳ）、処理をステップＳ５０６に移行する。
【００８０】
撮像装置１００は、当該撮影により取得した画像（撮影画像）の被写体が、直前の撮影画像から変更されているかを判定する（ステップＳ５０６）。当該撮影により取得した撮影画像の被写体が、直前の撮影画像から変更されていないと判定した場合（ステップＳ５０６でＮＯ）、処理をステップＳ５０８に移行する。当該撮影により取得した撮影画像の被写体が、直前の撮影画像から変更されていると判定した場合（ステップＳ５０６でＹＥＳ）、処理をステップＳ５０７に移行する。
【００８１】
撮像装置１００は、当該撮影により取得した撮影画像の被写体であって、顔情報登録テーブル１４１０に登録済の被写体（顔）が、所定数以上、直前の撮影画像から変更されているかを判定する（ステップＳ５０７）。
【００８２】
撮影画像の被写体であって、顔情報登録テーブル１４１０に登録済の被写体（顔）が、所定数以上、直前の撮影画像から変更されていると判定した場合（ステップＳ５０７でＹＥＳ）、処理をステップＳ５１１に移行する。
【００８３】
撮影画像の被写体であって、顔情報登録テーブル１４１０に登録済の被写体（顔）が、所定数以上、直前の撮影画像から変更されていないと判定した場合（ステップＳ５０７でＮＯ）、処理をステップＳ５０８に移行し、前回の撮影により取得した撮影画像に付与されたシーンＩＤを特定し、前回の撮影により取得した撮影画像に付与されたシーンＩＤと同一のＩＤを、ステップＳ５０３で行われた撮影により取得した撮影画像に対応付けて記憶する（ステップＳ５０８）。
【００８４】
つまり、前回の撮影画像と、今回の撮影画像とを同じシーンの画像として、メモリカード等の記憶媒体に記憶する。以上が図５の、本発明の実施形態における、シーン判定撮影処理の詳細についての説明である。
【００８５】
図４の説明に戻る。撮像装置１００は、ステップＳ４０１にて受け付けた指示が撮影終了の指示か否かを判定し（ステップＳ４０７）、撮影終了の指示でないと判定した場合（ステップＳ４０７でＮＯ）、処理をステップＳ４０３の前に戻し、撮影終了の指示であると判定した場合（ステップＳ４０７でＹＥＳ）、処理を終了する。以上が図４の、本発明の実施形態における、撮影処理の概要についての説明である。
【００８６】
次に図６を参照して、本発明の実施形態における、シーン毎の画像表示及び選択処理の詳細について説明する。図６は、本発明の実施形態における、シーン毎の画像表示及び選択処理の詳細を示すフローチャートである。図６は、図３のステップＳ３０２の処理の詳細を示す。
【００８７】
撮像装置１００は、撮影済の画像の表示指示を受け付ける。例えば、閲覧ボタン１２６の押下指示を受け付ける（ステップＳ６０１）。撮像装置１００は、シーン毎の代表画像を取得して、表示画面に一覧表示（リスト表示）する（ステップＳ６０２）。ここでいうシーン毎の代表画像とは、例えば、同一のシーンＩＤ１４０７を有する画像群の中で最初に撮影された画像であるものとする。当該一覧表示の画面については図７の説明にて後述する。
【００８８】
ここで図７を参照して、本発明の実施形態における、シーン一覧表示画面の構成の一例について説明する。図７は、本発明の実施形態における、シーン一覧表示画面の構成の一例を示す図である。
【００８９】
図７に示す通り、シーン一覧表示画面７００は、シーン代表画像７０１、「戻る」ボタン７０２、「印刷選択」ボタン７０３等から構成されている。シーン代表画像７０１は、同一のシーンＩＤ１４０７を有する画像群の中の代表画像である。
【００９０】
「戻る」ボタン７０２は、表示画面を、シーン一覧表示画面７００が表示される前の画面に遷移させるためのボタンである。「印刷選択」ボタン７０３は、撮影済の画像（メモリカードに記憶されている画像）の中から、プリントするための画像を選択する画面に、表示画面を遷移させるためのボタンである。当該プリントするための画像を選択する画面の詳細については、図１０〜１３の説明にて後述する。以上が図７の、本発明の実施形態における、シーン一覧表示画面の構成の一例についての説明である。
【００９１】
尚、図７のシーン代表画像７０１に対するタップ操作等の選択指示を受け付けた場合、撮像装置１００は、表示画面の表示を、当該選択されたシーンの画像を閲覧するための画像一覧表示画面８００（図８）に移行するものとする。
【００９２】
図８の画像一覧表示画面８００には、代表画像８０１と、代表画像を除いた、当該代表画像と同一のシーンＩＤに対応する画像のサムネイルであるサムネイル画像８０２が表示されるものとする。
【００９３】
図６の説明に戻る。撮像装置１００は、印刷画像の選択画面のへの画面遷移指示を受け付ける（ステップＳ６０３）。例えば、図７の「印刷選択」ボタン７０２の押下指示を受け付ける。
【００９４】
撮像装置１００は、メモリカードに記憶されている画像の中から、印刷画像として未登録の画像を１つ抽出し、当該画像のシーン情報を特定する（ステップＳ６０４）。つまり、当該抽出した画像の撮影モード１４０６の情報と、シーンＩＤ１４０７の情報を特定する。当該画像の抽出は、例えば、画像の撮影時間が古い順に行われるものとする。
例えば、同じシーンＩＤを有する画像のうち撮影日時が最も古い画像を、シーンＩＤ毎に抽出して、当該抽出した画像を撮影時間が古い順に抽出する。
【００９５】
撮像装置１００は、ステップＳ６０４で特定した情報を用いて、当該画像のシーンが、印刷画像の選択画面を表示するにあたり、画像の一覧表示に加えて、拡大画像（拡大画像データ）を表示すべきシーンか判定する（ステップＳ６０５）。
【００９６】
当該拡大画像を表示した画面のイメージについては、図１０、図１２、図１３に示している。当該拡大画像を表示しない画面のイメージについては、図１０、図１１に示している。図１０〜図１３の説明は後述する。
【００９７】
当該拡大画像を表示すべきシーンか否かの判定（決定）は、ステップＳ６０４で特定した情報及び、図１５に示す拡大表示フラグテーブル１５００の情報を用いて行われる。拡大表示フラグテーブル１５００は、撮影モード１５０１、拡大表示フラグ１５０２（シーンの種別毎の表示設定情報）等から構成されている。撮影モード１５０１は、撮影に際して適用される撮影モードを示す。
【００９８】
拡大表示フラグ１５０２は、いずれの撮影モードで撮影された画像を、表示画面にシーン毎に表示する場合に、拡大表示をすべきかを示すフラグである。拡大表示フラグ１５０２＝１の場合、印刷画像を選択する画面において、サムネイルの一覧だけでなく、サムネイルの画像を拡大した画像の表示も併せて行う。拡大表示フラグ１５０２＝０の場合、印刷画像を選択する画面において、サムネイルの一覧を表示する。
【００９９】
例えば、ポートレート撮影モードで撮影された画像のサムネイルを一覧表示した場合、サムネイル中の顔画像は小さく、被写体の顔の写り等をユーザが判別しにくいため、拡大画像を表示画面に表示し、ユーザに、容易に印刷画像の選別をさせることが出来る。
【０１００】
反対に、例えば、風景撮影モードで撮影された画像等、印刷画像の選択にあたり、人物の含まれる画像等に比較して、詳細な画像の確認を要さない画像を表示する場合、表示領域を圧迫する拡大画像を表示せずに、サムネイルの一覧のみを表示画面に表示することで、より多くの画像を表示画面に表示し、画像の選択を容易にすることが出来る。
【０１０１】
撮像装置１００は、ステップＳ６０５で、拡大画像を表示すべきシーンであると判定した場合（ステップＳ６０５でＹＥＳ）、処理をステップＳ６１１に移行し、当該シーンのシーンＩＤと対応する画像を、図１０のプリント画像登録画面１０００のような画面を用いて表示画面に表示する（ステップＳ６１１）。つまり、ステップＳ６０４で抽出した画像と同一のシーンＩＤを有する画像をメモリカード等の記憶媒体から抽出し、表示画面に表示する。
【０１０２】
ここで図１０を参照して、本発明の実施形態における、プリント画像登録画面の構成の一例について説明する。図１０は、本発明の実施形態における、プリント画像登録画面の構成の一例を示す図である。
【０１０３】
図１０に示す通り、プリント画像登録画面１０００は、登録画像表示領域１００１、サムネイル画像一覧表示領域１００２、サムネイル画像１００３、選択中画像１００４、拡大画像１００５、前シーン代表画像１００６、次シーン代表画像１００７、「戻る」ボタン１００８、「複数選択」ボタン１００９、「完了」ボタン１０１０等から構成されている。
【０１０４】
登録画像表示領域１００１は印刷画像として登録済（印刷画像として選択済）の画像の表示領域である（選択済画像表示領域表示手段）。サムネイル画像一覧表示領域１００２は、選択候補のサムネイル画像１００３の一覧表示領域である。
【０１０５】
選択中画像１００４は、サムネイル画像１００３であって、拡大画像１００５として拡大表示するために、ユーザの操作指示により選択中の画像である。前シーン代表画像１００６は、当該プリント画像登録画面１０００において一覧表示しているシーンの前に、表示画面に一覧表示されたシーンの代表画像である。
【０１０６】
次シーン代表画像１００７は、当該プリント画像登録画面１０００において一覧表示しているシーンの画像（表示済の画像）の中から印刷画像が登録された後に一覧表示するシーンの画像群の代表画像である。
【０１０７】
「戻る」ボタン１００８は、表示画面を、プリント画像登録画面１０００を表示する前の画面に遷移させるためのボタンである。「複数選択」ボタン１００９は、１つのシーンから複数の画像を、一括で印刷画像として登録するためのボタンである。「完了」ボタン１０１０は、印刷画像の登録を完了するためのボタンである。
ユーザのタップ操作（タップ指示）等により選択中画像１００４が変更されると、当該変更に応じて拡大画像１００５の表示も切り替わる。
【０１０８】
また、拡大表示画像１００５に対するタップ操作（印刷画像としての登録指示）、又は、ドラッグ＆ドロップの操作により、当該拡大画像１００５が登録画像表示領域１００１に移動する指示（印刷画像としての登録指示）を受け付けた場合、当該拡大画像１００５を印刷画像の１つとして登録し、次シーン代表画像１００７の属するシーンの画像一覧画面（プリント画像登録画面）に、表示画面の表示を遷移させるものとする。
【０１０９】
当該表示画面の遷移にあたり、撮像装置１００は、当該次シーン代表画像１００７の撮影モードの情報を取得し、当該次シーン代表画像１００７の属するシーンが拡大画像を表示すべきシーンであるかを判定して、当該判定結果に応じたプリント画像登録画面を表示画面に表示する。
【０１１０】
プリント画像登録画面１０２０は、当該次シーン代表画像１００７の属するシーンが拡大画像を表示すべきシーンでないと判定された場合に表示されるプリント画像登録画面である。
【０１１１】
プリント画像登録画面１０２０は、登録画像表示領域１０２１、サムネイル画像一覧表示領域１０２２、サムネイル画像１０２３については、プリント画像登録画面１０００と共通であるため、ここでは説明を割愛する。
登録済印刷画像１０２４は、プリント画像登録画面１０００に表示されていたシーンの画像群の中で印刷画像として登録指示がされた画像である。
【０１１２】
尚、プリント画像登録画面１０２０おいては、サムネイル画像１０２３に対するタップ操作を受け付けた場合に、当該タップ操作の対象となった画像を印刷画像として登録するものとする。また、サムネイル画像１０２３に対するタップ操作ドラッグ＆ドロップの操作により、画像を登録画像表示領域１０２１に移動する指示を受け付けた場合も、当該操作対象の画像を印刷画像として登録するものとする。当該印刷画像の登録処理の詳細については図６の説明で後述する。
【０１１３】
撮像装置１００は、印刷画像の登録がされた場合、次のシーンの画像群を表示画面に表示するよう動作し、これを繰り返すものとする。以上が図１０の、本発明の実施形態における、プリント画像登録画面の構成の一例についての説明である。
【０１１４】
図６の説明に戻る。撮像装置１００は、ステップＳ６１１で表示したプリント画像登録画面１０００において、サムネイル画像１００３の選択指示を受け付けたか判定し（ステップＳ６１２）、選択指示を受け付けていないと判定した場合（ステップＳ６１２でＮＯ）、処理をステップＳ６１３に移行する。
【０１１５】
選択指示を受け付けたと判定した場合（ステップＳ６１２でＹＥＳ）、拡大画像１００５の表示を更新し（ステップＳ６１３）、当該拡大画像１００５に対する指示を受け付けたか否かを判定する（ステップＳ６１４）。
【０１１６】
当該拡大画像１００５に対する指示を受け付けていないと判定した場合（ステップＳ６１４でＮＯ）、ステップＳ６１７に処理を移行し、印刷画像の登録を完了する指示を受け付けたか否かを判定する（ステップＳ６１７）。つまり、「完了」ボタン１０１０の押下指示を受け付けたか否かを判定する。
【０１１７】
印刷画像の登録を完了する指示を受け付けていないと判定した場合（ステップＳ６１７でＮＯ）、処理をステップＳ６０５に戻す。印刷画像の登録を完了する指示を受け付けたと判定した場合（ステップＳ６１７でＹＥＳ）、処理を終了する。
【０１１８】
尚、ここでは「完了」ボタン１０１０の押下を受け付けた場合に、印刷画像の登録を実行するものとしたが、例えば、「完了」ボタン１０１０の押下を受け付けた後、図９の登録確認画面９００のような画面を一度表示し、「キャンセル」ボタン９０１の押下を受け付けた場合は当該登録処理を実行せずにプリント画像登録画面１０００に表示画面を戻し、「ＯＫ」ボタン９０２の押下を受け付けた場合に初めて印刷画像の登録を実行するようにしてもよい。
【０１１９】
一方、ステップＳ６１４で、当該拡大画像１００５に対する指示を受け付けたと判定した場合（ステップＳ６１４でＹＥＳ）、当該指示を受け付けた画像を、印刷画像として登録する（ステップＳ６１５）。具体的には、印刷する画像を格納するフォルダに当該画像をコピーする（印刷画像記憶手段）。
【０１２０】
当該印刷画像用のフォルダは、当該印刷画像の登録が初めて行われた際に、撮像装置１００によって、メモリカード等の記憶媒体上に生成される（印刷画像フォルダ生成手段）。以後、印刷画像として登録される画像は、当該印刷画像用のフォルダにコピーされる。
【０１２１】
また、例えば、メモリカードを接続することで当該メモリカード内の画像を抽出し、表示画面に表示して印刷する画像をユーザに選択させる写真印刷機においては、メモリカード上の特定のフォルダ（例：フォルダ名＝ＤＣＩＭ）の画像を抽出して、表示画面に表示するものが考えられるが、この場合、撮像装置１００は、当該印刷用のフォルダではないフォルダであって、画像が格納されているフォルダの名称をＤＣＩＭとは別のフォルダ名称に変更し、印刷画像用のフォルダをフォルダ名＝ＤＣＩＭとして生成するものとする。尚、印刷画像用のフォルダを確保する方法はこれに限るものではなく、印刷画像用のフォルダと、印刷画像用ではないフォルダとを区別できればよい。
【０１２２】
撮像装置１００は、印刷画像として登録された画像（印刷用画像のフォルダに格納されている画像）を登録画像表示領域１００１に表示し（ステップＳ６１６）、全てのシーンについて、印刷画像の登録がされているか判定する（ステップＳ６１０）。例えば、メモリカードに記憶されている画像に対応する全てのシーンＩＤを抽出し、当該全てのシーンＩＤと、印刷画像として登録された画像のシーンＩＤとを比較して、全てのシーンについて印刷画像の登録がされているか判定する。
【０１２３】
全てのシーンについて、印刷画像の登録がされていないと判定した場合（ステップＳ６１０でＮＯ）、処理をステップＳ６０５に移行する。全てのシーンについて、印刷画像の登録がされていると判定した場合（ステップＳ６１０でＹＥＳ）、処理をステップＳ６１７に移行する。
【０１２４】
撮像装置１００は、ステップＳ６０５で、拡大画像を表示すべきシーンでないと判定した場合（ステップＳ６０５でＮＯ）、処理をステップＳ６０６に移行し、図１１のプリント画像登録画面１１００のような画面を表示画面に表示する（ステップＳ６０６）。
図１１のプリント画像登録画面１１００の構成は、図１０のプリント画像登録画面１０２０の説明で前述したため、ここでは説明を割愛する。
【０１２５】
図１１のプリント画像登録画面１１２０は、プリント画像登録画面１１００において印刷画像の登録がされた後、プリント画像登録画面１１００と同じく、図６のステップＳ６０５で、拡大画像を表示すべきでないと判定されたシーンの画像群を表示したプリント画像登録画面の一例である。登録済印刷画像１１２１は、プリント画像登録画面１１００に表示されていたシーンの画像群の中で印刷画像として登録指示がされた画像である。
【０１２６】
撮像装置１００は、プリント画像登録画面１１００のサムネイル画像一覧表示領域から、サムネイル画像の選択を受け付けたか否かを判定し（ステップＳ６０７）、サムネイル画像の選択を受け付けていないと判定した場合には（ステップＳ６０７でＮＯ）、処理をステップＳ６１７に移行する。
【０１２７】
サムネイル画像の選択を受け付けたと判定した場合には（ステップＳ６０７でＹＥＳ）、選択された画像を印刷画像として登録する（ステップＳ６０８）。印刷画像の登録方法については前述したため、ここでは説明を割愛する。
【０１２８】
撮像装置１００は、印刷画像として登録された画像（印刷用画像のフォルダに格納されている画像）を登録画像表示領域に表示し（ステップＳ６０９）、処理をステップＳ６１０に移行する。以上が図６の、本発明の実施形態における、シーン毎の画像表示及び選択処理の詳細についての説明である。
以下、図１２、図１３を参照して、印刷画像の選択における、プリント画像登録画面の遷移の例について説明する。
【０１２９】
図１２は、図６のステップＳ６０５で、拡大画像を表示すべきと判定されたシーンの画像を表示したプリント画像登録画面から、同じく、拡大画像を表示すべきと判定されたシーンの画像を表示したプリント画像登録画面への画面の遷移を示している。
【０１３０】
図１３は、拡大画像を表示すべきと判定されたシーンの画像を表示したプリント画像登録画面中で、サムネイル画像を、登録画像表示領域にドラッグ＆ドロップして印刷画像の登録を行う様子を示している。また、「複数選択」ボタンが押下された後に、印刷画像の登録をした場合の画面の遷移の様子を示している。
【０１３１】
「複数選択」ボタンの押下を受け付けた場合、撮像装置１００は、表示中のシーンの画像の１つが印刷画像として登録された場合であっても、次のシーンのプリント画像登録画面へ表示画面を移行せずに、継続して、表示中のプリント画像登録画面において、印刷画像の登録指示を受け付け、登録処理を実行する。
【０１３２】
その後、複数選択の終了指示、例えば、再度「複数選択」ボタンの押下を受け付けた場合に、次のシーンのプリント画像登録画面に表示画面の表示を遷移させるよう制御するものとする。以上が図１２、及び図１３の説明である。
【０１３３】
以上説明した通り、本発明によれば、シーンに応じて、画像データの選択を容易にする撮像装置、その制御方法、及びプログラムを提供することが出来る。
【０１３４】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【０１３５】
この場合、記録媒体から読み出されたプログラム自体が本発明の新規な機能を実現することになり、そのプログラムを記憶した記録媒体は本発明を構成することになる。
【０１３６】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク、ソリッドステートドライブ等を用いることができる。
【０１３７】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１３８】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１３９】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１４０】
さらに、本発明を達成するためのプログラムをネットワーク上のサーバ、データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【符号の説明】
【０１４１】
１００  撮像装置
２０１  シーン判別部
２０２  撮影実行部
２０３  画像記憶部
２０４  印刷画像選択受付部
２０５  印刷グループ記憶部
２０６  シーン別表示切替部
【図１】
2014168207.tif 000003
【図２】
2014168207.tif 000004
【図３】
2014168207.tif 000005
【図４】
2014168207.tif 000006
【図５】
2014168207.tif 000007
【図６】
2014168207.tif 000008
【図７】
2014168207.tif 000009
【図８】
2014168207.tif 000010
【図９】
2014168207.tif 000011
【図１０】
2014168207.tif 000012
【図１１】
2014168207.tif 000013
【図１２】
2014168207.tif 000014
【図１３】
2014168207.tif 000015
【図１４】
2014168207.tif 000016
【図１５】
2014168207.tif 000017